(57)【要約】【課題】夜用の生理用ナプキン等の長い生理用ナプキンにおいても、排泄部領域に位置する両側縁部の中空の防漏壁を、容易に断面略円状のループ形状に起立させることができ、ループ形状に起立することにより、装着者へのフィット性を高め、ヨレ防止、漏れ防止性に優れた吸収性物品を提供すること。【解決手段】本発明の生理用ナプキン１は、表面シート２、裏面シート３及び吸収体４を具備する縦長の吸収性本体５と、その長手方向両側部５ａに中空のループ状の防漏壁７とを備えている。防漏壁７は、少なくとも排泄部領域ａであって、防漏壁７の頂部７ａより生理用ナプキン１の幅方向中央側の領域（Ｘ３領域）に伸縮性シート６の一部の剛性を高めた高剛性部６ｃを複数有している。高剛性部６ｃは、ループ状の防漏壁７の起立方向に延びて形成されており、且つ防漏壁７の頂部７ａに到らないように形成されている。【選択図】図３
2010110532.tif 000002
【特許請求の範囲】
【請求項１】
肌当接面を形成する表面シート、非肌当接面を形成する裏面シート及び両シート間に介在する吸収体を有する縦長の吸収性本体と、該吸収性本体の長手方向両側部それぞれに帯状の伸縮性シートを接合して形成された中空のループ状の防漏壁とを備えた縦長の吸収性物品であって、
前記防漏壁それぞれは、少なくとも装着者の体液排泄部に当接される排泄部領域であって、該防漏壁の頂部より前記吸収性物品の幅方向中央側の領域に前記伸縮性シートの一部の剛性を高めた高剛性部を複数有しており、該高剛性部それぞれは、ループ状の前記防漏壁の起立方向に延びて形成されており、且つ前記頂部に到らないように形成されている吸収性物品。
【請求項２】
前記排泄部領域における高剛性部の頂部の高さ（Ｈ１）が、前記防漏壁の高さ（Ｈ２）の２０〜７０％（Ｈ１／Ｈ２×１００）である請求項１に記載の吸収性物品。
【請求項３】
前記高剛性部が、前記伸縮性シートをヒートシール又はエンボスすることにより形成されている請求項１又は２に記載の吸収性物品。
【請求項４】
前記高剛性部が、前記吸収性物品の長手方向の前後端部における前記防漏壁の折曲げ部の頂部どうしを結んだ線と交差している請求項１〜３の何れかに記載の吸収性物品。
【発明の詳細な説明】
【技術分野】
【０００１】
本発明は、生理用ナプキンや失禁パッド等の吸収性物品に関する。
【背景技術】
【０００２】
従来、着用中の経血等の体液が幅方向に移動して側縁部から漏れてしまう横漏れを防止するため、長手方向両側縁部それぞれに防漏壁を設けた生理用ナプキンが知られている。
また、防漏壁の装着者へのフィット性を高める為に、中空のループ形状の防漏壁が知られている。例えば、特許文献１には、フィット性が高く、装着者の足の動き等の左右からの応力がかかった場合においても、中空のループ形状で緩衝し、生理用ナプキンにヨレを発生させず、漏れ防止性の高い中空のループ形状の防漏壁を備えた生理用ナプキンが開示されている。
【０００３】
近年、特に夜用の生理用ナプキンにおいて、生理用ナプキンの長さが長くなる傾向にあり、生理用ナプキンの長さと共に、防漏壁も長くなっている。防漏壁が長くなると、装着者の体液排泄部に当接される排泄部領域に位置する両側縁部の中空の防漏壁を、断面略円状のループ形状に起立させることが困難となる。
【０００４】
【特許文献１】特開平１１−２９９８２１号公報
【発明の開示】
【発明が解決しようとする課題】
【０００５】
従って、本発明の目的は、夜用の生理用ナプキン等の長い吸収性物品においても、排泄部領域に位置する両側縁部の中空の防漏壁を、容易に断面略円状のループ形状に起立させることができ、ループ形状に起立することにより、装着者へのフィット性を高め、ヨレ防止、漏れ防止性に優れた吸収性物品を提供することにある。
【課題を解決するための手段】
【０００６】
本発明は、肌当接面を形成する表面シート、非肌当接面を形成する裏面シート及び両シート間に介在する吸収体を有する縦長の吸収性本体と、該吸収性本体の長手方向両側部それぞれに帯状の伸縮性シートを接合して形成された中空のループ状の防漏壁とを備えた縦長の吸収性物品であって、前記防漏壁それぞれは、少なくとも装着者の体液排泄部に当接される排泄部領域であって、該防漏壁の頂部より前記吸収性物品の幅方向中央側の領域に前記伸縮性シートの一部の剛性を高めた高剛性部を複数有しており、該高剛性部それぞれは、ループ状の前記防漏壁の起立方向に延びて形成されており、且つ前記頂部に到らないように形成されている吸収性物品を提供することにより前記目的を達成したものである。
【発明の効果】
【０００７】
本発明の吸収性物品によれば、夜用の生理用ナプキン等の長い吸収性物品においても、装着者の体液排泄部に当接される排泄部領域に断面略円状の中空のループ形状の防漏壁を容易に形成できるので、装着者へのフィット性を高め、ヨレ防止、漏れ防止性を高めることができる。
【発明を実施するための最良の形態】
【０００８】
以下、本発明の吸収性物品である生理用ナプキンの好ましい一実施形態について、図１〜図６に基づいて説明する。
【０００９】
本実施形態の生理用ナプキン１は、図１に示すように、生理用ナプキン１の長手方向に延びる中心線ＣＬに対して左右対称に形成されている。
従って、以下には、主として生理用ナプキン１の左側の構成について詳述し、右側の構成については、適宜説明を省略し、左側の構成要素に対応する右側の構成要素は、符号にダッシュ(’)を付してある。
【００１０】
本実施形態の吸収性物品（生理用ナプキン）１は、図１〜図６に示すように、肌当接面を形成する表面シート２、非肌当接面を形成する裏面シート３及び両シート２，３間に介在する吸収体４を有する実質的に縦長の吸収性本体５と、該吸収性本体５の長手方向両側部５ａ，５ａ’それぞれに帯状の伸縮性シート６，６’を接合して形成された中空のループ状の防漏壁７，７’とを備えている。
防漏壁７，７’それぞれは、図１，図３に示すように、少なくとも装着者の体液排泄部に当接される排泄部領域ａであって、防漏壁７，７’の頂部７ａ，７ａ’より生理用ナプキン１の幅方向中央側の領域（Ｘ３領域）に伸縮性シート６，６’の一部の剛性を高めた高剛性部６ｃ，６ｃ’を複数有している。
高剛性部６ｃ，６ｃ’それぞれは、図３，図４に示すように、ループ状の防漏壁７，７’の起立方向に延びて形成されており、且つ防漏壁７，７’の頂部７ａ，７ａ’に到らないように形成されている。
【００１１】
ここで、「排泄部領域ａ」とは、装着者の体液排泄部に当接される領域を意味する。本実施形態の生理用ナプキン１のように、ウイング部３１，３１’を有する吸収性物品における排泄部領域ａは、通常、吸収性物品（生理用ナプキン１）の長手方向においてウイング部３１，３１’を有する領域である。ウイング部３１，３１’を有しない吸収性物品における排泄部領域ａは、生理用ナプキンが個装形態に折り畳まれた際に生じる製品長手方向（ＣＬ線方向）に直交する２つの折線について、生理用ナプキンの長手方向の前端から数えて第１折線と第２折線とに囲まれた領域と同じ長さか又は短い長さの領域を言う。また、生理用ナプキンの製品長が長く３つの折線が生じる場合には、製品の長手方向の前端から数えて第１折線と第２折線に囲まれた領域あるいは製品の長手方向の前端から数えて第１折線と第３折線とに囲まれた領域と同じ長さか又は短い長さの領域を言う。
【００１２】
本実施形態の生理用ナプキン１について、詳述すると、本実施形態の生理用ナプキン１は、図１に示すように、その長手方向（ＣＬ線方向）に、装着者の体液排泄部に当接される排泄部領域ａ（ウイング部３１を有する領域）の後方に後方領域ｂ、排泄部領域ａ、排泄部領域ａの前方に前方領域ｃを備えている。本実施形態の生理用ナプキン１は、図１〜図６に示すように、液透過性の表面シート２、液不透過性又は撥水性の裏面シート３及び吸収体４を具備し、表面シート２と吸収体４とを固定する一対のエンボス溝９を具備している。エンボス溝９は、生理用ナプキン１の両側部に、長手方向（ＣＬ線方向）に延びて延在している。表面シート２及び裏面シート３それぞれは、吸収体４よりも長手方向（ＣＬ線方向）に大きい外径寸法を有している。表面シート２及び裏面シート３は、生理用ナプキン１の長手方向（ＣＬ線方向）の両端部ｂ１，ｃ１において、吸収体４の長手方向の両端部から延出し、その延出部は互いにヒートシール等により接合されて吸収性本体５を形成している。本実施形態の生理用ナプキン１は、その長手方向（ＣＬ線方向）における中央部より前寄りの位置に一対のウイング部３１を有している。ウイング部３１は、裏面シート３を延出することにより形成されており、その裏面には、該ウイング部３１を、ショーツのクロッチ部の非肌対向面に固定するための粘着部３２が形成されている。これらの構成は、従来品と同じである。
【００１３】
次いで、本実施形態の生理用ナプキン１のループ状の防漏壁７について説明する。
本実施形態の生理用ナプキン１では、図１〜図３に示すように、帯状の伸縮性シート６が、吸収性本体５の長手方向（ＣＬ線方向）の側部５ａに、長手方向に沿って、配設及び固定されており、伸縮性シート６の収縮により、肌当接面側に凸に起立した中空のループ状の防漏壁７が形成される。ここで、「起立」とは、中空のループ状の防漏壁７の頂部７ａが表面シート２の表面よりも上方に位置する状態を意味する。
【００１４】
上記伸縮性シート６は、本実施形態の生理用ナプキン１においては、弾性部材６３により伸縮性が付与された複合シートである。伸縮性シート６は、図２及び図３に示すように、肌当接面側のシート６１と、非肌当接面側のシート６２と、それらのシート６１，６２間に、複数本の弾性部材６３を配置して形成されている。肌当接面側のシート６１と、非肌当接面側のシート６２とは、同形同大の帯状（長方形状）のシートであり、上記伸縮性シート６は、肌当接面側のシート６１と非肌当接面側のシート６２との間に、糸状の弾性部材６３を、シート６１，６２の長手方向（ＣＬ線方向）に配置し、複数本の弾性部材６３それぞれを、帯状のシート６１，６２の幅方向（ＣＬ線方向と直交方向）に均等に配置して形成されている。複数本の弾性部材６３それぞれは、図１に示すように、防漏壁７を形成した際、装着者の体液排泄部に当接される排泄部領域ａより長く配置されている。
【００１５】
上記伸縮性シート６は、図２及び図３に示すように、表面シート２及び吸収体４を挟持するように、伸縮性シート６の長手方向の一側部６ａの肌当接面側のシート６１の表面が、表面シート２の肌当接面側の表面に接合されて接合部８ａを形成している。また、伸縮性シート６の長手方向の他側部６ｂは、吸収体４と裏面シート３との間に配され、他側部６ｂの非肌当接面側のシート６２の表面が、吸収体４の非肌当接面側の表面に接合されて接合部８ｂを形成している。また、排泄部領域ａの前方の前方領域ｃ及び後方の後方領域ｂにおいて、伸縮性シート６は吸収性本体５に接合されている部分を有している。このように、帯状の伸縮性シート６を、吸収性本体５の長手方向（ＣＬ線方向）の側部５ａに、長手方向に沿って、配設及び接合しているため、伸縮性シート６が収縮することにより、中空のループ状に起立した部分を有する防漏壁７が形成される。接合は、ヒートシールや接着剤等により行うことができる。本実施形態においては、接合部８ａは接着剤により形成されており、伸縮性シート６の非肌当接面側のシート６２と吸収体４との接合は、接着剤により行われている。また、本実施形態においては、表面シート２と吸収体４との接合は、接着剤により行われ、伸縮性シート６の肌当接面側のシート６１と裏面シート３との接合（接合部８ｂ）は、ヒートシールにより行われている。
【００１６】
上記防漏壁７は、図１，図３に示すように、少なくとも排泄部領域ａに、防漏壁７の頂部７ａより生理用ナプキン１の幅方向中央側の領域（Ｘ３領域；防漏壁７の頂部７ａと中心線ＣＬとの間に位置するループ状の防漏壁７の領域）に伸縮性シート６の一部の剛性を高めた高剛性部６ｃを有している。
【００１７】
上記高剛性部６ｃは、図３に示すように、ループ状の防漏壁７の起立方向（Ｚ方向；生理用ナプキン１の厚み方向）に延びて形成されている。高剛性部６ｃは、本実施形態においては、防漏壁７の形成材料である伸縮性シート６をヒートシールすることにより形成されている。即ち、図４に示すように、肌当接面側のシート６１と、非肌当接面側のシート６２と、それらのシート６１，６２間に、複数本の弾性部材６３を固定して形成された伸縮性シート６に、ヒートシール処理を施すことにより、処理部分のシート６１及びシート６２の目付けを高くし、ヒートシール処理を施されていない伸縮性シート６の部分よりも剛性の高い高剛性部６ｃを形成してなる。高剛性部６ｃの形成法としては、ヒートシール処理の他に、エンボス処理を施してもよい。
【００１８】
上記高剛性部６ｃは、図３に示すように、少なくとも排泄部領域ａに、複数形成されており、２０個〜４０個、形成されていることが好ましい。２０個以上であれば、ループ形状に防漏壁を起立させ易く、４０個以下であれば、高剛性部６ｃを配置したことによる伸縮性シート６の剛性に関し、装着者に違和感を与えない。
【００１９】
上記高剛性部６ｃは、図３に示すように、防漏壁７の頂部７ａに到らないように形成されている。高剛性部６ｃは、図１，図５，図６に示すように、生理用ナプキン１の長手方向（ＣＬ線方向）の前後端部ｂ１，ｃ１における防漏壁７の内側折曲げ部７ｂ１，７ｃ１の頂部どうしを結んだ線と交差していることが好ましい。即ち、高剛性部６ｃは、図５に示すように、生理用ナプキン１の長手方向（ＣＬ線方向）の後端部ｂ１における防漏壁７の内側折曲げ部７ｂ１の頂部７ｂ１１と、生理用ナプキン１の長手方向（ＣＬ線方向）の前端部ｃ１における防漏壁７の内側折曲げ部７ｃ１の頂部７ｃ１１とを結んだ仮想線（不図示）と交差するように配されていることが好ましい。具体的には、図３に示すように、高剛性部６ｃの起端６ｃ１が、伸縮性シート６の長手方向の一側部６ａと前記仮想線との間に配されている。また、排泄部領域ａにおける高剛性部６ｃの頂部（末端６ｃ２）の高さ（Ｈ１）が、防漏壁７の高さ（Ｈ２）の２０〜７０％（Ｈ１／Ｈ２×１００）であることが好ましく、更に、３０〜５０％（Ｈ１／Ｈ２×１００）であることが好ましい。２０％以下であると、伸縮性シートに十分な剛性が得られず、使用者の足の動きや装着姿勢等の外的応力に対して、ループ状に防漏壁を起立させることが困難となり、ひいては外的応力等により防漏壁部が吸収体上面に倒れこみやすくなる。７０％以上であると肌当接面領域に占める高剛性部の領域が広くなり、実質的に凹状に形成された高剛性部が肌当接領域を占めると、経血等の体液が幅方向に移動した際に防漏壁面を伝い側縁部から漏れてしまうことになる。
ここで、高剛性部６ｃの頂部（末端６ｃ２）の高さ（Ｈ１）とは、表面シート２からＺ軸方向への高さであり、防漏壁７の高さ（Ｈ２）も同様に、表面シート２からＺ軸方向への高さである（図３参照）。
【００２０】
上記高剛性部６ｃは、図４に示すように、その幅Ｗ１が、０．５ｍｍ〜１０ｍｍであることが好ましい。また、隣り合う高剛性部６ｃどうしの間隔ｄが、１ｍｍ〜１５ｍｍであることが好ましい。
【００２１】
本実施形態の生理用ナプキン１の防漏壁７は、図３に示すように、さらに、伸縮性シート６の一部の剛性を高めた外側高剛性部６ｄが、高剛性部６ｃと同様の態様で、防漏壁７の頂部７ａより生理用ナプキン１の幅方向外側の領域（Ｘ４領域；防漏壁７の頂部７ａと生理用ナプキン１の長手方向の側端との間に位置するループ状の防漏壁７の領域）に形成されている。具体的には、外側高剛性部６ｄは、高剛性部６ｃと同様に、伸縮性シート６の一部にヒートシール処理を施すことにより形成されている。外側高剛性部６ｄは、少なくとも排泄部領域ａに、複数形成されており、２０個〜５０個、形成されていることが好ましい。
【００２２】
外側高剛性部６ｄは、図３に示すように、防漏壁７の頂部７ａに到らないように形成されており、外側高剛性部６ｄは、図５に示すように、生理用ナプキン１の長手方向（ＣＬ線方向）の後端部ｂ１における防漏壁７の外側折曲げ部７ｂ２の頂部７ｂ２１と、生理用ナプキン１の長手方向（ＣＬ線方向）の前端部ｃ１における防漏壁７の外側折曲げ部７ｃ２の頂部７ｃ２１とを結んだ仮想線（不図示）と交差するように配されていることが好ましい。ここで、頂部７ｂ２１とは、外側折曲げ部７ｂ２の頂部中で、最も生理用ナプキン１の厚み方向（Ｚ軸方向）において低い位置にある頂部、言い換えれば、最も、裏面シート３に近い位置にある頂部のことをいう。頂部７ｃ２１についても同様である。交差するように配されているとは、具体的には、図３に示すように、外側高剛性部６ｄの起端（不図示）が、伸縮性シート６の長手方向の他側部６ｂと前記仮想線との間に配されている。また、排泄部領域ａにおける外側高剛性部６ｄの頂部（末端６ｄ２）の高さ（Ｈ３）が、防漏壁７の高さ（Ｈ２）の２０〜７０％（Ｈ３／Ｈ２×１００）であることが好ましく、更に、４０〜６０％（Ｈ３／Ｈ２×１００）であることが好ましい。２０％以下であると、伸縮性シートに十分な剛性が得られず、使用者の足の動きや装着姿勢等の外的応力に対して、ループ状に防漏壁を起立させることが困難となり、７０%以上であると肌当接面領域に占める高剛性部の領域が広くなり、実質的に凹状に形成された高剛性部が肌当接領域を占めると、経血等の体液が幅方向に移動した際に防漏壁面を伝い側縁部から漏れてしまうことになる。
ここで、外側高剛性部６ｄの頂部（末端６ｄ２）の高さ（Ｈ３）とは、表面シート２からＺ軸方向への高さであり、防漏壁７の高さ（Ｈ２）も同様に、表面シート２からの高さである。外側高剛性部６ｄの幅及び間隔は、高剛性部６ｃと同様である（図３参照）。
【００２３】
上記防漏壁７を形成する複合シートは、図１、図５及び図６に示すように、防漏壁７のループ状をなしている部分の前方及び後方、本実施形態においては、排泄部領域ａの前方領域ｃと後方領域ｂにおいては、弾性部材６３が配置されておらず、伸縮性シート６を形成していない。複合シートを形成する肌当接面側のシート６１及び非肌当接面側のシート６２は、弾性部材６３が配置されていない領域において、図１、図５及び図６に示すように、肌当接面側に凸に起立したの中空のループ状の防漏壁７を形成しないように、積極的に折り曲げられている。防漏壁７を形成する複合シートは、生理用ナプキン１の長手方向の両端部ｂ１，ｃ１においては、表面シート２及び裏面シート３と同様に、吸収体４の長手方向（ＣＬ線方向）の両端部ｂ１，ｃ１から延出し、その延出部はヒートシールまたはホットメルト等により接合固定されている。
【００２４】
本実施形態の生理用ナプキン１の形成材料について説明する。
上記表面シート２、上記裏面シート３及び上記吸収体４としては、通常、生理用ナプキン等の吸収性物品に用いられるものであれば、特に制限なく用いることができる。
【００２５】
上記伸縮性シート６としては、熱可塑性を有するヒートシール性の良好なシートが好ましい。また、エンボス加工性の良好なシートが好ましい。また、ヒートシール伸縮性を有し、少なくとも肌当接面ａにおいてループ形状に起立すると共に、このループ形状を保ちながら違和感がなく自在に変形する剛性を持つことが好ましい。例えば、シート材料としては、伸縮性の熱可塑性のフィルム、伸縮性の熱可塑性の不織布、伸縮性の熱可塑性の織物又はそれらの積層シート等が挙げられる。具体的には、天然ゴム、ポリウレタン、ポリスチレン−ポリイソプレン共重合体、ポリスチレン−ポリブタジエン共重合体、ポリエチレン−アクリル酸エチル等のポリエチレン−αオレフィン共重合体等からなる材自体が伸縮性を有する材料や、上述したような、これら伸縮性の材料を糸状にした弾性部材６３を肌当接面側のシート６１と非肌当接面側のシート６２との間に配置した複合シートが挙げられる。
【００２６】
上記伸縮性シート６の肌当接面側のシート６１としては、ヒートシール性、エンボス加工性又は肌触りを良好にするため、ポリエチレン／ポリエステル、ポリエチレン／ポリプロピレン、ポリプロピレンからなる熱可塑性不織布であることが好ましい。非肌当接面側のシート６２も同様である。この様な熱可塑性不織布は、不織布自体が伸縮性を有するように、クリンプ加工した繊維を用いることが好ましい。クリンプ加工されていない繊維による伸縮し難い不織布を肌当接面側のシート６１及び非肌当接面側のシート６２に使用する場合には、あらかじめ糸状の弾性部材６３の複数本を所定の伸張率まで伸張し、それを肌当接面側のシート６１及び非肌当接面側のシート６２間に、略等間隔で配置し、ホットメルトやヒートシール等によって接着固定することによって、複合シートを作成しても良い。
【００２７】
次に上述した本発明の本実施形態の生理用ナプキン１を使用した際の作用効果について説明する。
本実施形態の生理用ナプキン１は、図１及び図３に示すように、一対の防漏壁７，７’を備えており、一対の防漏壁７，７’それぞれは、少なくとも排泄部領域ａであって、防漏壁７，７’の頂部７ａ，７ａ’より生理用ナプキン１の幅方向中央側の領域（Ｘ３領域）に伸縮性シート６，６’の一部の剛性を高めた高剛性部６ｃ，６ｃ’を複数有している。この高剛性部６ｃ，６ｃ’は、ループ状の防漏壁７の起立方向（Ｚ軸方向）に延びて形成されている為、防漏壁７，７’の柱として作用し、断面略円状の中空のループ形状の防漏壁７，７’を容易に形成できる。また、高剛性部６ｃは、図３に示すように、防漏壁７の頂部７ａに到らないように形成されているので、装着者に高剛性部６ｃの違和感を生じ難い。また、Ｘ３領域に高剛性部６ｃ，６ｃ’を有していることにより、生理用ナプキン１を着用した際に、ループ形状の防漏壁７，７’が、生理用ナプキン１の内側に倒れ難く、吸収面積を有効に確保することができる。このようなループ形状の防漏壁７，７’を容易に形成できるので、装着者へのフィット性の高い、ヨレ防止、漏れ防止性を高い、生理用ナプキン１を形成できる。
【００２８】
また、本実施形態の生理用ナプキン１の防漏壁７，７’の高剛性部６ｃは、図１，図５，図６に示すように、生理用ナプキン１の長手方向（ＣＬ線方向）の前後端部ｂ１，ｃ１における防漏壁７の内側折曲げ部７ｂ１，７ｃ１の頂部どうしを結んだ線と交差しているので、断面略円状の中空のループ形状の防漏壁７，７’を更に容易に形成できる。
【００２９】
また、本実施形態の生理用ナプキン１の防漏壁７，７’は、図１及び図３に示すように、一対の防漏壁７，７’を備えており、一対の防漏壁７，７’それぞれは、少なくとも排泄部領域ａであって、防漏壁７，７’の頂部７ａ，７ａ’より生理用ナプキン１の幅方向外側の領域（Ｘ４領域）に伸縮性シート６，６’の一部の剛性を高めた外側高剛性部６ｄ，６ｄ’を複数有している。その為、断面略円状の中空のループ形状の防漏壁７，７’の形状の安定化を図ることができる。
【００３０】
本発明の吸収性物品は、上述の本実施形態の生理用ナプキンに何ら制限されるものではなく、適宜変更可能である。また、上述の本実施形態の生理用ナプキンにおける各構成要件は、本発明の趣旨を損なわない範囲で、適宜組み合わせて実施できる。
【００３１】
例えば、上述の本実施形態の生理用ナプキン１においては、防漏壁７，７’のＸ４領域に外側高剛性部６ｄ，６ｄ’を複数有しているが、有してなくともよい。
【００３２】
また、上述の本実施形態の生理用ナプキン１においては、防漏壁７を形成する伸縮シート６は、図２に示すように、伸縮シート６の長手方向の一側部６ａの肌当接面側のシート材６１の表面が、表面シート２の肌当接面側の表面に接合されているが、図７（ａ）に示すように、伸縮シート６の長手方向の一側部６ａを折り返し、一側部６ａの非肌当接面側のシート材６２の表面が、表面シート２の肌当接面側の表面に接合されていてもよい。
【００３３】
また、上述の本実施形態の生理用ナプキン１においては、防漏壁７を形成する伸縮シート６は、図２に示すように、伸縮シート６の長手方向の他側部６ｂは、吸収体４と裏面シート３との間に配されて接合部８ｂを形成しているが、図７（ｂ）に示すように、他側部６ｂを折り返し、他側部６ｂにおける非肌当接面側のシート材６２の表面が、延出した裏面シート３の肌当接面側の表面に接合されていてもよい。また、表面シート２と裏面シート３とが吸収体４の幅方向の両端から延出し接合されており、他側部６ｂを折り返し、他側部６ｂにおける非肌当接面側のシート材６２の表面が、延出した部分の表面シート２の肌当接面側の表面に接合されていてもよい。また、図７（ｃ）に示すように、伸縮シート６の長手方向の一側部６ａを折り返し、一側部６ａの非肌当接面側のシート材６２の表面が、表面シート２の肌当接面側の表面に接合され、他側部６ｂを折り返し、他側部６ｂにおける非肌当接面側のシート材６２の表面が、延出した部分の裏面シート３の肌当接面側の表面に接合されていてもよいし、表面シート２の肌当接面側の表面に接合されていてもよい。
【００３４】
本発明の吸収性物品は、生理用ナプキン以外にも、例えば、使い捨ておむつ、失禁者用パッド、パンティーライナー等に好適に用いることができる。
【図面の簡単な説明】
【００３５】
【図１】本発明の実施形態である生理用ナプキンの斜視図である。
【図２】図１に示す生理用ナプキンのＸ１−Ｘ１線断面図である。
【図３】図１に示す生理用ナプキンのＸ１−Ｘ１線断面の斜視図である。
【図４】図３に示す生理用ナプキンの要部の斜視図のＹ１−Ｙ１線断面図である。
【図５】図１に示す生理用ナプキンのＸ２−Ｘ２線断面図である。
【図６】図１に示す生理用ナプキンのＸ３−Ｘ３線断面図である。
【図７】（ａ）〜（ｃ）本発明のその他の実施形態である生理用ナプキンのＸ１−Ｘ１線断面図である。
【符号の説明】
【００３６】
１  生理用ナプキン
２  表面シート
３  裏面シート
４  吸収体
５  吸収性本体
５ａ，５ａ’  吸収性本体の長手方向の両側部
６，６’  伸縮性シート
６１  肌当接面側のシート
６２  非肌当接面側のシート
６３，６３’  弾性部材
６ａ  一側部
６ｂ  他側部
６ｃ  高剛性部
６ｃ１  起端
６ｃ２  末端
６ｄ  外側高剛性部
６ｄ２  末端
７，７’  防漏壁
７ｂ１，７ｃ１  内側折曲げ部
７ｂ１１，７ｃ１１  頂部
７ｂ２，７ｃ２  外側折曲げ部
７ｂ２１，７ｃ２１  頂部
８ａ，８ｂ  接合部
９  エンボス溝
【図１】
2010110532.tif 000003
【図２】
2010110532.tif 000004
【図３】
2010110532.tif 000005
【図４】
2010110532.tif 000006
【図５】
2010110532.tif 000007
【図６】
2010110532.tif 000008
【図７】
2010110532.tif 000009